(57)【特許請求の範囲】
【請求項１】
１階の土間床の一部上にスキップ床が設けられ、このスキップ床と前記土間床との間が、天井高が０．９〜１．４ｍの収納室とされた建物において、
前記収納室には、収納スペースと犬用スペースとが戸を介して配置されており、
前記収納室を形成する壁には、戸を備えた第１出入口と戸を備えた第２出入口とが離間して形成されており、
前記第１出入口は前記犬用スペースに面して形成されており、前記第２出入口は前記収納スペースに面して形成されており、
前記第１出入口の外側には居間に隣接配置された収納室前土間が設けられており、前記第２出入口の外側には玄関が設けられていることを特徴とする建物。
【請求項２】
請求項１に記載の建物において、
前記収納室前土間を形成する壁には、外部に出入りするための土間用出入口が形成されており、この土間用出入口の外側に犬の洗浄を行う洗浄部が設けられていることを特徴とする建物。
【請求項３】
請求項２に記載の建物において、
前記収納室前土間の上方は上階の天井まで吹きぬける吹抜けとなっており、この吹抜けに上階のホールまたは廊下が面していることを特徴とする建物。
【請求項４】
請求項１〜３のいずれか一項に記載の建物において、
前記犬用スペースは、犬の住処となる住処部と、前記戸に面して前記収納スペースに出入りするための出入部とを備えており、前記出入部に前記第１出入口が面していることを特徴とする建物。
【請求項５】
請求項１〜４のいずれか一項に記載の建物において、
前記玄関と居間とが隣接配置されており、この玄関と居間とを仕切る壁に出入口が形成されていることを特徴とする建物。
【発明の詳細な説明】
【技術分野】
【０００１】
本発明は、１階の土間床の一部上に設けられたスキップ床と前記土間床との間が、天井高が０．９〜１．４ｍの収納室とされた建物に関する。
【背景技術】
【０００２】
１階の土間床の一部上に設けられたスキップ床と前記土間床との間が、天井高が０．９〜１．４ｍの収納室とされた建物の一例として、特許文献１に記載のものが知られている。この建物は、１階の土間床の一部上に中間床（スキップ床） が設けられ、この中間床 と、前記１階床より低い位置にある土間との間が収納室とされており、この収納室に隣接して居間が設けられており、この居間の床と前記土間床とが同高さに配置されており、この居間と前記収納室とを仕切る仕切壁には、収納室に出入りするための出入口が形成されているものである。このような収納室は、物を収納する室であり、犬等のペットを飼うための工夫はなされていない。
【０００３】
一方、近年では、犬等のペットを室内飼育する飼い主が増加し、ペットとの入居が可能なマンションや、ペットの習性を考慮した内装を備えた住宅等が販売されている。このような住宅の一例として、特許文献２に記載のものが知られている。
この住宅は、ペットのための専用空間を住宅の室内空間に向けて室内の壁部に開口し、該専用空間を壁部より反室内側であって住宅内に設けた単数若しくは複数のブースとしたペットルームを備えたものである。
【特許文献１】特開２００６−１１８２１０号公報
【特許文献２】特開２００４−２５４６４８号公報
【発明の開示】
【発明が解決しようとする課題】
【０００４】
ところで、家族同様とはいえ、習性の異なる犬専用のスペースを居室内に設けると不都合な場合も生じる。例えば、来客があったときなどは、犬を居室に入れたくないということがある。
また、住人が住宅を留守にする場合には、犬が玄関を含む住宅内を自由に移動できるようにして防犯効果を高めたいという要望もある。
【０００５】
本発明は上記事情に鑑みてなされたもので、建物内でかつ居室外に犬専用のスペースを設けることができるとともに、住人が住宅を留守にする場合には、犬が玄関を含む住宅内を自由に移動できるようにした建物を提供することを課題としている。
【課題を解決するための手段】
【０００６】
上記課題を解決するために、請求項１に記載の発明は、例えば図１に示すように、１階の土間床の一部上にスキップ床が設けられ、このスキップ床と前記土間床との間が、天井高が０．９〜１．４ｍの収納室１とされた建物において、
前記収納室１には、収納スペース２と犬用スペース３とが戸４を介して配置されており、
前記収納室１を形成する壁には、戸６ａを備えた第１出入口６と戸１５ａを備えた第２出入口１５とが離間して形成されており、
前記第１出入口６は前記犬用スペース３に面して形成されており、前記第２出入口１５は前記収納スペース２に面して形成されており、
前記第１出入口６の外側には居間７に隣接配置された収納室前土間８が設けられており、前記第２出入口１５の外側には玄関５が設けられていることを特徴とする。
【０００７】
請求項１に記載の発明によれば、収納室１に犬用スペース３が配置されているので、居室外に犬専用のスペース３を容易に設けることができる。
そして、第１出入口６の戸６ａを開放しておくことによって、犬は第１出入口６から収納室前土間８を通って居間７に移動でき、住人と触れ合うことができる。
また、来客がある場合などは、第１出入口６の戸６ａを閉鎖しておくことによって犬を居間７に入れなくすることができる。この場合、収納スペース２と犬用スペース３との間の戸４を開放しておくことによって、犬は収納スペース２内を動くことができ、犬は窮屈さを解消できる。
さらに、住人が留守にするときは、第１出入口６の戸６ａ、第２出入口１５の戸１５ａ、収納スペース２と犬用スペース３との間の戸４の全てを開放しておくことによって、犬は居間７、玄関５、収納室１に亙って建物内を自由に移動でき、防犯効果が高まる。
【０００８】
請求項２に記載の発明は、請求項１に記載の建物において、
前記収納室前土間８を形成する壁には、外部に出入りするための土間用出入口９が形成されており、この土間用出入口９の外側に犬の洗浄を行う洗浄部１１が設けられていることを特徴とする。
【０００９】
請求項２に記載の発明によれば、犬用スペース３から収納室前土間８、土間用出入口９を通って外部に容易に出入りできるとともに、土間用出入口９の外側にある洗浄部１１によって犬の足等を洗浄することによって、犬を清潔な状態で建物内に入れることができる。
【００１０】
請求項３に記載の発明は、請求項２に記載の建物において、
前記収納室前土間８の上方は上階の天井まで吹きぬける吹抜け１３となっており、この吹抜け１３に上階のホール（階段ホール２５ａ）または廊下が面していることを特徴とする。
【００１１】
請求項３に記載の発明によれば、収納室前土間８の上方は上階の天井まで吹きぬける吹抜け１３となっているので、犬用スペース３の臭いを上方に抜くことができる。また、上階のホール（階段ホール２５ａ）または廊下から吹抜け１３を通して、収納室前土間８近辺にいる犬の様子を知ることができる。
【００１２】
請求項４に記載の発明は、請求項１〜３のいずれか一項に記載の建物において、
前記犬用スペース３は、犬の住処となる住処部３ａと、前記戸４に面して前記収納スペース２に出入りするための出入３ｂ部とを備えており、前記出入部３ｂに前記第１出入口６が面していることを特徴とする。
【００１３】
請求項４に記載の発明によれば、犬用スペース３が住処部３ａと出入部３ｂとを備えているので、犬は住処部３ａで休息をとることができ、この休息中においても、住人は犬が邪魔になることなく、出入部３ｂから収納スペース２に出入りできる。
【００１４】
請求項５に記載の発明は、請求項１〜４のいずれか一項に記載の建物において、
前記玄関５と居間７とが隣接配置されており、この玄関５と居間７とを仕切る壁に出入口１６が形成されていることを特徴とする。
【００１５】
請求項５に記載の発明によれば、この玄関５と居間７とを仕切る壁に出入口１６が形成されているので、犬用スペース３を出た犬は、収納室前土間８、居間７、玄関５、収納室１に亙って循環するようにして移動でき、さらに防犯効果が高まるとともに、犬の運動にもなる。
【発明の効果】
【００１６】
本発明によれば、収納室に、収納スペースと犬用スペースとが戸を介して配置されており、前記収納室を形成する壁に、戸を備えた第１出入口と戸を備えた第２出入口とが離間して形成されており、前記第１出入口は前記犬用スペースに面して形成されており、前記第２出入口は前記収納スペースに面して形成されており、前記第１出入口の外側には居間に隣接配置された収納室前土間が設けられており、前記第２出入口の外側には玄関が設けられているので、建物内でかつ居室外に犬専用のスペースを設けることができるるとともに、住人が住宅を留守にする場合には、犬が玄関を含む住宅内を自由に移動できるようにすることができる。
【発明を実施するための最良の形態】
【００１７】
以下図面を参照して本発明の実施の形態について説明する。
図１〜図５は本発明に係る建物の一例を示すものであり、図１は１階の平面図、図２は１．５階の平面図、図３は２階の平面図、図４は２．５階の平面図、図５は収納室前土間を示す斜視図である。
【００１８】
図１において、符号１は収納室を示す。この収納室１は１階の土間床の一部上に設けられたスキップ床と、土間床との間に設けられたものであり、天井高は０．９ｍ〜１．４ｍ程度に設定されている。なお、１階の土間床は、収納室の床、後述する玄関土間５ａの床、収納室前土間８の床等で構成されている。
収納室１には、収納スペース２と、犬用スペース３とが引戸４を介して配置されている。収納スペース２の床面は、１階の床面（例えば後述する居間の床面）より１段低くなっており、この収納スペース２の北側に隣接して玄関５の玄関土間５ａが配置されている。この玄関土間５ａの床面と収納スペース２の床面とはほぼ面一となっている。
【００１９】
前記犬用スペース３は、犬の住処となる住処部３ａと、前記引戸４に面して収納スペース２に出入りするための出入部３ｂとから構成されている。住処部３ａは犬が休息や食事をとるためのスペースであり、この住処部３ａの天井または壁にはセンサー付きの換気扇が設置されている。そして、犬が住処部３ａに居ると、それをセンサーが検知して、換気扇を回すようになっている。なお、換気扇に接続されるダクトは、犬用スペースの天井裏等を通って外壁に設けられた開口部に接続されている。
収納室１の犬用スペース３を形成する壁には、引戸６ａを備えた第１出入口６が形成されており、前記出入部３ｂに第１出入口６が面している。
【００２０】
前記第１出入口６の外側には、居間７に隣接配置された収納室前土間８が設けられている。この収納室前土間８の床面は、居間７の床面より１段低くなっており、かつ収納室１の床面と面一になっている。
収納室前土間８の上方は図５に示すように、上階の天井まで吹きぬける吹抜け１３となっており、この吹抜け１３に上階のホール（後述する階段ホール２５ａ）が面している。
収納室前土間８を形成する壁には、外部に出入りするための、戸９ａを備えた土間用出入口９が形成されており、この土間用出入口９の外側には、犬走り１０が設けられている。この犬走り１０には犬の洗浄を行う洗浄部１１が設けられている。洗浄部１１は例えば水道栓と洗い場を備えたものである。また、犬走り１０に面する壁には、前記収納スペース２に犬走り１０から出入りするための、戸１２ａを備えた出入口１２が形成されている。
【００２１】
また、前記収納室１を形成する壁のうち、該収納室１と玄関５とを仕切る壁には、引戸１５ａを備えた第２出入口１５が形成されており、この第２出入口１５の外側には玄関５の玄関土間５ａが設けられている。この玄関土間５ａの床面と、収納室１の床面とは面一になっている。
玄関５の玄関ホール５ｂと居間７とは隣接配置されており、この玄関ホール５ｂと居間７とを仕切る壁に戸１６ａを備えた出入口１６が形成されている。
【００２２】
玄関ホール５ｂには、１．５階まで至る階段１７が設けられおり、図２に示すように、この階段１７の踊り場１７ａに面して和室１８への出入口１８ａが階段１７の階段室を形成する壁に形成されている。和室１８は、前記収納室１の収納スペース２の直上に設けられている。すなわち和室１８は１階の土間床の一部（収納室１の収納スペース２）上に設けられたスキップ床上に設けられた部屋である。
【００２３】
前記階段１７の踊り場１７ａには、図３に示すように、２階に至る階段１９が接続されており、この階段１９の階段ホール１９ａの西側に隣接して第２の収納室２０が配置されている。この第２の収納室２０と階段ホール１９ａとを仕切る壁には、階段ホール１９ａから第２の収納室２０に出入りするための、引戸２１ａを備えた出入口２１が形成されている。第２の収納室２０の天井高は０．９ｍ〜１．４ｍ程度に設定されている。
また、前記階段ホール１９ａの北側には、トイレ２２が配置されており、このトイレ２２の東側に洗面室２３が配置されており、この洗面室２３の東側に浴室２４が配置されている。トイレ２２と洗面室２３には、階段ホール１９ａから出入りできるようになっており、浴室２４には洗面室２３から出入りできるようになっている。これらトイレ２２、洗面室２３、浴室２４、階段ホール１９ａ、第２の収納室２０の床が面一となっている。つまり、２階には、トイレ２２、洗面室２３、浴室２４、階段ホール１９ａ、第２の収納室２０が設けられている。
【００２４】
前記階段ホール１９ａには、図４に示すように、２．５階に至る階段２５が接続されており、この階段２５の階段ホール２５ａの東側と西側にそれぞれ部屋２６，２７が配置されており、部屋２７の北側に部屋２８が配置されている。部屋２６、部屋２７には階段ホール２５ａから出入りできるようになっており、部屋２８には階段ホール２５ａに接続された廊下２５ｂから出入りできるようになっている。
階段ホール２５ａの南側は、前記階段室前土間８の上方に設けられた吹抜け１３となっており、この吹抜け１３と階段ホール２５ａとの間には、手摺壁２９が設けられている。そして、階段ホール２５ａから吹抜け１３を通して階段室前土間８が見えるようになっている。つまり、吹抜け１３に階段ホール２５ａが面している。
また、前記部屋２６の南側にはバルコニー３０が設けられており、このバルコニー３０の床は格子状の鉄製の床となっている。このバルコニー３０の直下に前記犬走り１０が配置されている。したがって、前記犬走り１０には、バルコニー３０の床を通しても、採光や通風を確保できる。
【００２５】
上記のような構成の建物によれば、図１に示すように、収納室１に犬用スペース３が配置されているので、居間７外に犬専用のスペースを容易に設けることができる。
そして、第１出入口６の引戸６ａを開放しておくことによって、犬は第１出入口６から収納室前土間８を通って居間７に移動でき、住人と触れ合うことができる。
また、来客がある場合などは、第１出入口６の引戸６ａを閉鎖しておくことによって犬を居間７に入れなくすることができる。この場合、収納スペース２と犬用スペース２との間の引戸４を開放しておくことによって、犬は収納スペース２内を動くことができ、犬は窮屈さを解消できる。
さらに、住人が留守にするときは、第１出入口６の引戸６ａ、第２出入口１５の引戸１５ａ、収納スペース２と犬用スペース３との間の引戸４ａの全てを開放しておくことによって、犬は居間７、玄関５、収納室１、収納室前土間８に亙って建物内を自由に移動でき、防犯効果が高まる。
【００２６】
また、収納室前土間８を形成する壁には、外部に出入りするための土間用出入口９が形成されており、この土間用出入口９の外側の犬走り１０に犬の洗浄を行う洗浄部１１が設けられているので、犬用スペース３から土間用出入口９を通って犬走り１０から外部に容易に出入りできるとともに、犬走り１０にある洗浄部１１によって犬の足等を洗浄することによって、犬を清潔な状態で建物内に入れることができる。
また、収納室前土間８の上方は２．５階の天井まで吹きぬける吹抜け１３となっており、この吹抜け１３に２．５階の階段ホール２５ａが面しているので、犬用スペース３の臭いを上方に抜くことができる。また、階段ホール２５ａから吹抜け１３を通して、収納室前土間８近辺にいる犬の様子を知ることができる。
【００２７】
また、犬用スペース３は、犬の住処となる住処部３ａと、収納スペース２に出入りするための出入部３ｂとを備えており、出入部３ｂに第１出入口６が面しているので、犬は住処部３ａで休息をとることができ、この休息中においても、住人は犬が邪魔になることなく、出入部３ｂから収納スペース２に出入りできる。
【００２８】
さらに、玄関５と居間７とが隣接配置されており、この玄関６と居間７とを仕切る壁に出入口１６が形成されているので、犬用スペース３を出た犬は、収納室前土間８、居間７、玄関５、収納室１に亙って循環するようにして移動でき、さらに防犯効果が高まるとともに、犬の運動にもなる。
【００２９】
図６は、本発明に係る建物の他の例を示す１階の平面図である。この図に示す建物が、図１に示す建物と大きく異なる点は、収納室１の第２出入口３５が玄関５の玄関ポーチ５ｃに面して設けられている点である。なお、その他の構成は図１に示す建物とほぼ同様であるので、同一構成には同一符号を付してその説明を省略もしくは簡略化する。
【００３０】
図６に示すように、本例では収納室１と玄関５の玄関ポーチ５ｃとを仕切る壁（外壁）に、引戸３５ａを備えた第２出入口３５が形成されており、この第２出入口３５の外側に玄関ポーチ５ｃが設けられている。つまり、本例では第２出入口３５は建物の外側に面している。また、引戸３５ａは引違い式となっており、収納室１側から施錠できるようになっている。
また、本例では玄関ホール土間５ａや玄関ホール５ｂが、図１に示す建物に比して小さくなっており、その分、玄関ポーチ５ｃが広くなっている。そして、この玄関ポーチ５ｃに前記第２出入口３５が面している。
また、犬用スペース３が平面視において、Ｌ字型に構成されており、住処部３ａが、図１に示すものより若干広くなっている。
【００３１】
本実施の形態では、前記第１実施の形態と同様の効果を得ることができるが、特に、収納室１と玄関５の玄関ポーチ５ｃとを仕切る壁（外壁）に、引戸３５ａを備えた第２出入口３５が形成されており、この第２出入口３５の外側に玄関ポーチ５ｃが設けられているので、玄関ポーチ５ｃから直接収納室１に出入りでき、便利である。例えば、自転車等を収納室１に収納しておくことによって、自転車による外出や帰宅の際に便利である。
【図面の簡単な説明】
【００３２】
【図１】本発明に係る建物の一例を示すものであり、１階の平面図である。
【図２】同、１．５階の平面図である。
【図３】同、２階の平面図である。
【図４】同、２．５階の平面図である。
【図５】同、収納室前土間を示す斜視図である。
【図６】本発明に係る建物の他の例を示すものであり、１階の平面図である。
【符号の説明】
【００３３】
１  収納室
２  収納スペース
３  犬用スペース
４  引戸（戸）
５  玄関
６  第１出入口
６ａ  引戸（戸）
７  居間
８  収納室前土間
９  土間用出入口
１１  洗浄部
１３  吹抜け
１５，３５  第２出入口
１５ａ，３５ａ  引戸（戸）
１６  出入口
２５ａ  階段ホール（ホール）
【図１】
0004975595.tif 000002
【図２】
0004975595.tif 000003
【図３】
0004975595.tif 000004
【図４】
0004975595.tif 000005
【図５】
0004975595.tif 000006
【図６】
0004975595.tif 000007